(57)【要約】【課題】ソフトウェアダウンロード開始時刻を誤らないデジタル放送受信装置を提供する。【解決手段】デジタル放送信号を受信し、受信したデジタル放送信号からダウンロードコンテンツ及びダウンロード告知情報を取得する受信手段と、ダウンロード告知情報及びダウンロード告知情報が含まれるデジタル放送チャンネルを記憶する記憶手段と、時刻を計測する計時手段と、計測した時刻及び記憶したダウンロード告知情報に含まれる時刻情報に従って、デジタル放送チャンネルを受信させてダウンロードコンテンツを取得させるとともに、取得したダウンロードコンテンツを実行する制御手段と、を備え、制御手段は、電源オフ操作後の次回の電源オン操作時において、記憶したデジタル放送チャンネルを受信させ、受信したデジタル放送信号に含まれる時刻情報を取得し、取得したデジタル放送チャンネルに含まれる時刻情報によって計時手段が計測する時刻を更新する。【選択図】図１
2011259002.tif 000002
【特許請求の範囲】
【請求項１】
デジタル放送信号を受信し、受信した前記デジタル放送信号からダウンロードコンテンツ及びダウンロード告知情報を取得する受信手段と、
前記ダウンロード告知情報及び前記ダウンロード告知情報が含まれるデジタル放送信号を特定するデジタル放送チャンネルを記憶する記憶手段と、
時刻を計測する計時手段と、
計測した前記時刻及び記憶した前記ダウンロード告知情報に含まれる時刻情報に従って、前記受信手段に前記デジタル放送チャンネルを受信させてダウンロードコンテンツを取得させるとともに、取得した前記ダウンロードコンテンツを実行する制御手段と、を備え、
前記制御手段は、電源オフ操作後の次回の電源オン操作時において、前記記憶手段が記憶した前記デジタル放送チャンネルを前記受信手段に受信させ、受信したデジタル放送信号に含まれる時刻情報を取得し、取得した前記デジタル放送チャンネルに含まれる前記時刻情報によって前記計時手段が計測する前記時刻を更新する、ことを特徴とするデジタル放送受信装置。
【請求項２】
デジタル放送信号を受信し、受信した前記デジタル放送信号からダウンロードコンテンツ及びダウンロード告知情報を取得する受信ステップと、
前記ダウンロード告知情報及び前記ダウンロード告知情報が含まれるデジタル放送信号を特定するデジタル放送チャンネルを記憶する記憶ステップと、
時刻を計測する計測ステップと、
電源オフ操作後の次回の電源オン時において、前記記憶ステップが記憶した前記デジタル放送チャンネルを前記受信ステップに受信させ、受信したデジタル放送信号に含まれる時刻情報によって、前記計測ステップが計測する前記時刻を更新する第１制御ステップと、
更新した前記時刻及び記憶した前記ダウンロード告知情報に含まれる時刻情報に従って、前記受信ステップに前記デジタル放送チャンネルを受信させてダウンロードコンテンツを取得させるとともに、取得した前記ダウンロードコンテンツを実行する第２制御ステップと、を有することを特徴とするデジタル放送受信方法。
【発明の詳細な説明】
【技術分野】
【０００１】
本発明は、デジタル放送受信装置及びデジタル放送受信方法に関し、更に詳しくは、ある決まった時刻に、ある決まったチャンネルへ選局を行うデジタル放送受信装置及びデジタル放送受信方法に関する。
【背景技術】
【０００２】
従来、デジタル放送受信装置においてソフトウェアダウンロード（以下、ＳＤＬと称す）を実施する場合、ＳＤＬ告知情報に基づき、ＳＤＬの送出期間を判別して、デジタル放送受信動作中に送出期間となったとき、ＳＤＬコンテンツが含まれるデジタル放送のチャンネル（以下、ＳＤＬチャンネルと称す）に選局し、ＳＤＬコンテンツを取得するデジタル放送受信装置が公知である（例えば、特許文献１参照）。
【特許文献１】特開２００８−１４８２３１号公報
【発明の開示】
【発明が解決しようとする課題】
【０００３】
しかしながら、上記特許文献１記載のデジタル放送受信装置では、ＳＤＬの送出期間であるか否かを判別するために、ＳＤＬ告知情報に記載されたＳＤＬ実施時刻とデジタル放送受信装置内部の時刻を比較するが、デジタル放送受信装置内部の時刻が誤っている場合には、ＳＤＬコンテンツの送出期間を正しく判断できず、結果として、ＳＤＬコンテンツの送出開始時にＳＤＬチャンネルへの選局に失敗してしまうという問題があった。
【０００４】
デジタル放送受信装置内部の時刻を制御する時刻情報はＳＤＬ告知情報と同様に放送で送出されており、デジタル放送受信装置は視聴しているチャンネルの時刻情報を取得し、その時刻情報を基にデジタル放送受信装置内部の時刻を調整する。この処理は、例えば、デジタル放送受信装置の電源がオフにされると、時刻情報も失われるため、電源オン時に必ず時刻情報を取得し、デジタル放送受信装置内部の時刻を調整する処理が必要となる。このとき、誤った時刻情報を受信すれば、デジタル放送受信装置内部の時刻にも狂いが生じる。例えば、外国においては、送出する放送局によって送出する時刻情報の内容が異なっている場合がある。この結果として、ＳＤＬチャンネル以外の放送局の時刻情報で調整されたデジタル放送受信装置内部の時刻では、ＳＤＬ告知情報の時刻情報に対して基準とすることができず、ＳＤＬコンテンツの送出開始時刻を正しく判断できない。
【０００５】
本発明は、上記事情を鑑みてなされたもので、ＳＤＬチャンネルの時刻情報を用いてＳＤＬを実施することが可能なデジタル放送受信装置及びデジタル放送受信方法を提供することを目的とする。
【課題を解決するための手段】
【０００６】
上記課題を解決するために、本発明のデジタル放送受信装置は、デジタル放送信号を受信し、受信したデジタル放送信号からダウンロードコンテンツ及びダウンロード告知情報を取得する受信手段と、ダウンロード告知情報及びダウンロード告知情報が含まれるデジタル放送信号を特定するデジタル放送チャンネルを記憶する記憶手段と、時刻を計測する計時手段と、計測した時刻及び記憶したダウンロード告知情報に含まれる時刻情報に従って、受信手段にデジタル放送チャンネルを受信させてダウンロードコンテンツを取得させるとともに、取得したダウンロードコンテンツを実行する制御手段と、を備え、制御手段は、電源オフ操作後の次回の電源オン操作時において、記憶手段が記憶したデジタル放送チャンネルを受信手段に受信させ、受信したデジタル放送信号に含まれる時刻情報を取得し、取得したデジタル放送チャンネルに含まれる時刻情報によって計時手段が計測する時刻を更新する、ことを特徴とする。
【０００７】
また、本発明のデジタル放送受信方法は、デジタル放送信号を受信し、受信したデジタル放送信号からダウンロードコンテンツ及びダウンロード告知情報を取得する受信ステップと、ダウンロード告知情報及びダウンロード告知情報が含まれるデジタル放送信号を特定するデジタル放送チャンネルを記憶する記憶ステップと、時刻を計測する計測ステップと、電源オフ操作後の次回の電源オン時において、記憶ステップが記憶したデジタル放送チャンネルを受信ステップに受信させ、受信したデジタル放送信号に含まれる時刻情報によって、計測ステップが計測する時刻を更新する第１制御ステップと、更新した時刻及び記憶したダウンロード告知情報に含まれる時刻情報に従って、受信ステップにデジタル放送チャンネルを受信させてダウンロードコンテンツを取得させるとともに、取得したダウンロードコンテンツを実行する第２制御ステップと、を有することを特徴とする。
【発明の効果】
【０００８】
ＳＤＬチャンネルにおける時刻情報を用いることで、ＳＤＬの実施期間を正しく判定することができ、ＳＤＬコンテンツの取得性を向上させることができる。
【発明を実施するための最良の形態】
【０００９】
（実施の形態１）
図１は、本発明の実施の形態１にかかるデジタル放送受信装置の構成を示すブロック図である。デジタル放送受信装置１００は、受信選局部１０１と、ＴＳ処理部１０２と、制御部１０３と、データ蓄積部１０４と、データ解析部１０５と、不揮発メモリ１０６と、起動チャンネル判定部１０７と、ＡＶ処理部１０８と、ＯＳＤ表示制御部１０９と、ＡＶ出力部１１０及び時計部１１１から構成される。
【００１０】
受信選局部１０１は、制御部１０３から通知されるチャンネルのトランスポートストリーム（ＴＳ）を得るべく、受信したデジタル放送波に復調と選局処理を行い、ＴＳとしてＴＳ処理部１０２へ出力する。
【００１１】
ＴＳ処理部１０２は、受信選局部１０１から入力されたＴＳをＳＤＬ告知データとソフトウェア本体、時刻情報、ＡＶストリームに分離する。そして、制御部１０３から通知された番組に含まれるＡＶストリームをＡＶ処理部１１０へ出力する。また、ＳＤＬ告知データとソフトウェア本体をデータ蓄積部１０４へ出力する。また、時刻情報を制御部１０３へ通知する。ここで、ＳＤＬ告知データとは、ＳＤＬに先立って送信されるＳＤＬの実施時間情報などを含むデータである。ＳＤＬ告知データの構成については、後程、図２を用いて説明する。また、ＴＳの構成については、後程、図３を用いて説明する。
【００１２】
制御部１０３は、ユーザのリモコン（図示せず）操作などから入力される番組選択指示や、起動チャンネル判定部１０７から通知される番組選択指示、ＳＤＬ開始時刻と判定した場合の番組選択指示をデジタル放送受信装置１００が選局すべき番組として、受信選局部１０１とＴＳ処理部１０２、データ解析部１０５へ通知する。また、同じくユーザのリモコン（図示せず）操作などから入力される電源オン指示を起動チャンネル判定部へ通知する。また、必要なＯＳＤ表示指示をＯＳＤ表示制御部１０８へ通知する。また、データ蓄積部１０４から通知される時刻情報を時計部１１１へ通知する。また、データ蓄積部１０４のソフトウェア本体を用いてＳＤＬを実施する。また、データ解析部１０５から通知されるＳＤＬ開始時刻と時計部１１１で管理する時刻からＳＤＬ開始時刻であるか否かを判定する。
【００１３】
データ蓄積部１０４は、ＴＳ処理部１０２から入力されたＳＤＬ告知データとソフトウェア本体を蓄積する。
【００１４】
データ解析部１０５は、データ蓄積部１０４に蓄えられるＳＤＬ告知データを監視し、ＳＤＬ告知データが蓄えられれば、制御部１０３から通知されるデジタル放送受信装置１００が選局しているチャンネルをＳＤＬチャンネルとして不揮発メモリ１０６へ書き込む。また、ＳＤＬ告知データの中に記載されたＳＤＬ実施時刻を制御部１０３へ通知する。
【００１５】
起動チャンネル判定部１０７は、制御部１０３から指示される電源オン指示によって、不揮発メモリ１０６にＳＤＬチャンネルが書かれているか否かを判定し、ＳＤＬチャンネルが存在する場合には、そのＳＤＬチャンネルを読み出し、起動時に選局すべきチャンネルとして制御部１０３へ通知する。
【００１６】
ＡＶ処理部１０８は、ＴＳ処理部１０２から入力されたＡＶストリームをデジタルの映像データ及び音声データとしてＡＶ出力部１１０へ出力する。
【００１７】
ＯＳＤ表示制御部１０９は、制御部１０３から通知されるＯＳＤ表示指示に基づいて必要となるＯＳＤ表示データを構築し、ＡＶ出力部１１０へ出力する。
【００１８】
ＡＶ出力部１１０は、ＡＶ処理部１０８から入力された映像データと、ＯＳＤ表示制御部１０６から入力されたＯＳＤ表示データとを合成し、アナログデータへ変換した後、映像信号としてモニタなどの表示装置へ出力する。また、ＡＶ処理部１０８から入力された音声データを、アナログデータへ変換した後、音声信号としてスピーカーなどの音声出力装置へ出力する。
【００１９】
時計部１１１は、制御部１０３から通知される時刻情報により、デジタル放送受信装置１００内部の時刻を調整し、管理する。
【００２０】
図２に、ＳＤＬ告知データ３００の構成を示す。ＳＤＬ告知データ３００は、ソフトウェア本体とは別に、ＳＤＬ実施時刻に先立ってデジタル放送波に多重化されて送信されるものである。ＳＤＬ告知データ３００は、少なくとも、ＴＳ中でＳＤＬ告知データを識別するための情報であるＳＤＬ告知データ識別情報３０１と、ＳＤＬに関する情報であるＳＤＬ情報３０２から構成される。ＳＤＬ告知データ識別情報３０１には、少なくともＳＤＬ告知データを識別するためのＳＤＬ告知データ識別ＩＤ、ＳＤＬ告知データのデータ長であるＳＤＬ告知データ長、ＳＤＬ告知データが含まれるＴＳの識別ＩＤ（ＴＳ識別ＩＤ）が記述される。また、ＳＤＬ情報３０２には、少なくともソフトウェア本体のバージョン番号（ソフトウェアバージョン）、ＳＤＬ実施時刻（開始予定時刻）、ソフトウェア本体を識別するＩＤ（ソフトウェア本体の識別ＩＤ）が記述される。
【００２１】
図３に、ＴＳの構成を示す。ＴＳ４００は、ＴＳヘッダ４０１とＴＳペイロード４０２から構成される。ＡＶストリーム（映像データ、音声データ）、ＳＤＬ告知データ及びソフトウェア本体はＴＳペイロード４０２に含まれる。
【００２２】
次に、本発明の実施の形態１におけるＳＤＬチャンネルの時刻情報を用いてＳＤＬを実施する処理について、図４と図５に示すフローチャートを用いて説明する。上記処理は、図４に示すＳＤＬ告知情報を取得し、ＳＤＬを実施する処理と図５に示す電源オン処理に大きく分けられる。
【００２３】
まず、ＳＤＬ告知情報を取得し、ＳＤＬを実施する処理について、図４に示すフローチャートを用いて説明する。データ解析部１０５は、データ蓄積部１０４にＳＤＬ告知データ３００を受信すると（Ｓ１０１）、制御部１０３からデジタル放送受信装置１００が選局しているチャンネルを取得し（Ｓ１０２）、ＳＤＬチャンネルとして不揮発メモリ１０６へ書き込む（Ｓ１０３）。
【００２４】
制御部１０３は、データ解析部１０５から通知されるＳＤＬ開始時刻と時計部１１１で管理するデジタル放送受信装置１００内部の時刻からＳＤＬ開始までの時間を算出する（Ｓ１０４）。ＳＤＬ開始時刻となれば（Ｓ１０５で「ＹＥＳ」）、ＳＤＬを実施する（Ｓ１０６）。
【００２５】
次に、電源オン時処理について、図５に示すフローチャートを用いて説明する。制御部１０３から電源オン指示が通知されると（Ｓ２０１）、起動チャンネル判定部１０７は、不揮発メモリ１０６からＳＤＬチャンネルを読み出す（Ｓ２０２）。ＳＤＬチャンネルが存在する場合（Ｓ２０３で「ＹＥＳ」）、読み出したＳＤＬチャンネルを制御部１０３へ通知し、制御部１０３は、受信選局部１０１、ＴＳ処理部１０２に対してＳＤＬチャンネルへの選局指示を行う（Ｓ２０４）。ＳＤＬチャンネルが存在しない、あるいは無効である場合（Ｓ２０３で「ＮＯ」）には、通常の選局通知を行う（Ｓ２０５）。通常の選局指示とは、例えば、電源オフ前に最後に見ていたチャンネルを指定することが考えられる。選局指示により、ＴＳ処理部１０２から時刻情報を取得し（Ｓ２０６）、取得した時刻情報を用いて時計部１１１で管理するデジタル放送受信装置１００内部の時刻を調整する（Ｓ２０７）。
【００２６】
本実施の形態１によれば、ＳＤＬ告知データ取得後、電源オフ処理が行われた場合は、次の電源オン処理においてＳＤＬチャンネルから起動することになる。ＳＤＬチャンネルの時刻情報は、ＳＤＬチャンネルを選局することで、受信し取得できるため、デジタル放送受信装置１００は、ＳＤＬ実施時刻を判断する基準となるための時刻情報を得ることができる。前記結果として、ＳＤＬの開始時刻を正しく判断することができ、ＳＤＬコンテンツの送出開始時にＳＤＬチャンネルへ選局することができる。
【００２７】
なお、図４で、ＳＤＬ告知データを不揮発メモリ１０６へ記憶することで、例えば、電源オフ処理が行われた場合でも、ＳＤＬ告知データを取得しなおす必要はない。
【００２８】
また、任意のチャンネルの時刻情報に基づいて、そのチャンネルを決まった時刻に選局させる例として、ＳＤＬの実施を挙げたが、例えば、番組表データに記載された番組時刻開始時刻情報を用いた番組予約においても、予約開始の判定には、予約するチャンネルの時刻情報により調整されたデジタル放送受信装置１００内部の時刻情報を用いる必要があり、同様の課題が存在する。つまり、番組予約も対象となり、ＳＤＬに限定するものではない。
【００２９】
（実施の形態２）
図６は、本発明の実施の形態２におけるデジタル放送受信装置を示すブロック図である。本実施の形態２は、２系統の受信選局部、ＴＳ処理部を持ち、同時に２チャンネル分のＴＳを受信処理できる点で実施の形態１と異なる。ここで、図１と同等の機能を有する構成については、同符号を付して説明を省略する。
【００３０】
デジタル放送受信装置２００は、受信選局部１０１と、ＴＳ処理部１０２と、制御部２０３と、データ蓄積部１０４と、データ解析部１０５と、不揮発メモリ１０６と、起動チャンネル判定部１０７と、ＡＶ処理部１０８と、時計部１１１と、ＯＳＤ表示制御部２０４と、ＡＶ出力部２０５と、サブ受信選局部２０１と、サブＴＳ処理部２０２から構成される。
【００３１】
サブ受信選局部２０１は、制御部２０３から通知される番組のＴＳを得るべく、受信したデジタル放送波に復調と選局処理を行い、ＴＳとしてサブＴＳ処理部２０２へ出力する。
【００３２】
サブＴＳ処理部２０２は、サブ受信選局部２０１から入力されたＴＳをＳＤＬ告知データとＡＶストリームに分離する。そして、制御部２０３から通知された番組に含まれるＡＶストリームをＡＶ処理部１０８へ出力する。また、ＳＤＬ告知データをデータ蓄積部１０４へ出力する。
【００３３】
制御部２０３は、ユーザのリモコン（図示せず）操作などから入力される番組選択指示や、起動チャンネル判定部１０７から通知される番組選択指示、ＳＤＬ開始時刻と判定した場合の番組選択指示をデジタル放送受信装置２００が選局すべき番組として、サブ受信選局部２０１とサブＴＳ処理部２０２へ通知する。また、同じくユーザのリモコン（図示せず）操作などから入力される電源オン指示を起動チャンネル判定部１０７へ通知する。また、同じくユーザのリモコン（図示せず）操作などから入力される２画面表示指示と、必要なＯＳＤ表示指示をＯＳＤ表示制御部２０４へ通知する。また、データ蓄積部１０４から通知される時刻情報を時計部１１１へ通知する。また、データ蓄積部１０４のソフトウェア本体を用いてＳＤＬを実施する。また、データ解析部１０５から通知されるＳＤＬ開始時刻と時計部１１１で管理するデジタル放送受信装置２００内部の時刻からＳＤＬ開始時刻であるか否かを判定する。
【００３４】
ＯＳＤ表示制御部２０４は、制御部２０３から通知される２画面表示指示とＯＳＤ表示指示に基づいて必要となるＯＳＤ表示データを構築し、２画面表示指示とＯＳＤ表示データをＡＶ出力部２０５へ出力する。
【００３５】
ＡＶ出力部２０５は、ＯＳＤ表示制御部２０４から入力された２画面表示指示に基づいて、出力画面構成を判断し、ＡＶ処理部１０８から入力された映像データと、ＯＳＤ表示制御部２０４から入力されたＯＳＤ表示データとを合成し、アナログデータへ変換した後、映像信号としてモニタなどの表示装置へ出力する。また、ＡＶ処理部１０８から入力された音声データを、アナログデータへ変換した後、音声信号としてスピーカーなどの音声出力装置へ出力する。
【００３６】
次に、本発明の実施の形態２におけるサブ側の受信制御、ＴＳ処理を用いて、ＳＤＬチャンネルの時刻情報に基づいてＳＤＬを実施する処理について、図７と図８に示すフローチャートを用いて説明する。上記処理は、図７に示すＳＤＬ告知情報を取得し、ＳＤＬを実施する処理と図８に示す電源オン処理に大きく分けられる。図４、図５と同処理については、同符号を付して説明を省略する。
【００３７】
まず、ＳＤＬ告知情報を取得し、ＳＤＬを実施する処理について、図７に示すフローチャートを用いて説明する。データ解析部１０５は、データ蓄積部１０４にＳＤＬ告知データを受信できると（Ｓ１０１）、制御部２０３からデジタル放送受信装置２００が選局しているチャンネルを取得し（Ｓ１０２）、ＳＤＬチャンネルとして不揮発メモリ１０６へ書き込む（Ｓ１０３）。また、制御部２０３で、サブ側の受信制御、ＴＳ処理が使用可能な状態、すなわち２画面表示指示が出ていない状態であれば（Ｓ３０１で「ＮＯ」）、サブ受信選局部２０１、サブＴＳ処理部２０２へＳＤＬチャンネルの選局指示を行う（Ｓ３０２）。選局指示により、サブＴＳ処理部２０２から時刻情報を取得し（Ｓ２０６）、その時刻情報を用いて時計部１１１で管理するデジタル放送受信装置２００内部の時刻を調整する（Ｓ２０７）。前記結果として、ユーザが視聴しているチャンネルを変更せずに、ＳＤＬチャンネルにおける時刻情報の取得、ＳＤＬの実施を行うことができる。
【００３８】
次に、電源オン処理について、図８に示すフローチャートを用いて説明する。制御部２０３から電源オン指示が通知されると（Ｓ２０１）、起動チャンネル判定部１０７は、不揮発メモリ１０６からＳＤＬチャンネルを読み出す（Ｓ２０２）。ＳＤＬチャンネルが存在する場合（Ｓ２０３で「ＹＥＳ」）、読み出したＳＤＬチャンネルを制御部２０３へ通知し、制御部２０３は、サブ受信選局部２０１とサブＴＳ処理部２０２へ、ＳＤＬチャンネルの選局指示を行う（Ｓ４０１）。ＳＤＬチャンネルが存在しない、あるいは無効である場合（Ｓ２０３で「ＮＯ」）には、通常の選局通知を行う（Ｓ４０２）。通常の選局指示とは、例えば、電源オフ前に最後に見ていたチャンネルを指定することが考えられる。選局指示により、サブＴＳ処理部２０２から時刻情報を取得し（Ｓ２０６）、その時刻情報を用いて時計部１１１で管理するデジタル放送受信装置２００内部の時刻を調整する（Ｓ２０７）。
【００３９】
なお、図６では、時計部１１１は１つであるが、受信選局部、ＴＳ処理部と同様に２系統を有し、選局しているチャンネルごとの時刻を管理してもよい。
【００４０】
本実施の形態２によれば、ＳＤＬ告知データ取得後、例えば２画面表示などでサブ側の受信選局とＴＳ処理を使用していなければ、サブ側の受信選局、ＴＳ処理を用いて、ＳＤＬチャンネルの時刻情報を常に取得し、ＳＤＬ実施時刻を正しく判断することができる。
【００４１】
また、電源オフ処理が行われた場合は、次の電源オン処理においてサブ側の受信選局、ＴＳ処理のみをＳＤＬチャンネルから起動させることで、ユーザの視聴を妨げずに、ＳＤＬチャンネルの時刻情報を取得できる。前記結果として、ＳＤＬの開始時刻を正しく判断することができ、ＳＤＬコンテンツの送出開始時にＳＤＬチャンネルへ選局することができる。
【００４２】
なお、任意のチャンネルの時刻情報に基づいて、そのチャンネルを決まった時刻に選局させる例として、ＳＤＬの実施を挙げたが、例えば、番組表データに記載された番組時刻開始時刻情報を用いた番組予約においても、予約開始の判定には、予約するチャンネルの時刻情報により調整されたデジタル放送受信装置２００内部の時刻情報を用いる必要があり、同様の課題が存在する。つまり、番組予約も対象となり、ＳＤＬに限定するものではない。
【００４３】
また、図６においては、２系統の受信選局部、ＴＳ処理部を持つ形態について説明したが、２系統に限定するものではなく、複数系統の受信選局部、ＴＳ処理部、時計部を有したものにおいても該当する。
【産業上の利用可能性】
【００４４】
本発明のデジタル放送受信装置は、ある決まった時刻に、ある決まったチャンネルへ選局を行う場合に、正しい時刻情報に基づいて、ある決まった時刻を正しく判断することができ、予約機能やソフトウェアのダウンロード機能を有する機器に関して有用である。
【図面の簡単な説明】
【００４５】
【図１】本発明の実施の形態１におけるデジタル放送受信装置の構成を示すブロック図
【図２】ＳＤＬ告知データのデータフォーマットを示す図
【図３】ＴＳのパケット構成を示す図
【図４】本発明の実施の形態１におけるＳＤＬ告知情報の取得処理を示すフローチャート
【図５】本発明の実施の形態１における電源オン処理を示すフローチャート
【図６】本発明の実施の形態２におけるデジタル放送受信装置の構成を示すブロック図
【図７】本発明の実施の形態２におけるＳＤＬ告知情報の取得処理を示すフローチャート
【図８】本発明の実施の形態２における電源オン処理を示すフローチャート
【符号の説明】
【００４６】
１００、２００    デジタル放送受信装置
１０１    受信選局部
１０２    ＴＳ処理部
１０３、２０３    制御部
１０４    データ蓄積部
１０５    データ解析部
１０６    不揮発メモリ
１０７    起動チャンネル判定部
１０８    ＡＶ処理部
１０９、２０４    ＯＳＤ表示制御部
１１０、２０５    ＡＶ出力部
１１１    時計部
２０１    サブ受信選局部
２０２    サブＴＳ処理部
【図１】
2011259002.tif 000003
【図２】
2011259002.tif 000004
【図３】
2011259002.tif 000005
【図４】
2011259002.tif 000006
【図５】
2011259002.tif 000007
【図６】
2011259002.tif 000008
【図７】
2011259002.tif 000009
【図８】
2011259002.tif 000010